(57)【要約】 【課題】点滴中に病院内を移動する際、院内感染の心配が生じることなく移動できるようにするための車椅子に対する院内感染防止用具の提供を図る。【解決手段】  既存の車椅子Aの両側部に対して、その高さを車椅子に座っている患者の背丈より丈高なものとする支柱１,1を取付け、アーチ型を呈する屋根状基枠２の後端部を、上記支柱1,1の上端に対して、水平状態から垂直状態への転化を可能とするような形態で枢支し、更に、患者の頭の上から腰の高さまでを被うためのシート状カバー体３を、前記屋根状基枠２の全周にわたって垂設するように構成した車椅子に対する院内感染防止用具。【選択図】  図１
2014028009.tif 000002
【特許請求の範囲】
【請求項１】
既存の車椅子(A)の両側部に対して、その高さを車椅子に座っている患者の背丈より丈高なものとする支柱(１,1)を取付け、アーチ型を呈する屋根状基枠(２)の後端部を、上記支柱(1,1)の上端に対して、水平状態から垂直状態への転化を可能とするような形態で枢支し、更に、患者の頭の上から腰の高さまでを被うためのシート状カバー体(３)を、前記屋根状基枠(２)の全周にわたって垂設するように構成した車椅子に対する院内感染防止用具。
【請求項２】
既存の車椅子として、両側部を重ね合せるようにその中央部において折り畳みできるような形式のものを用い、当該車椅子の両側部に対して、その高さを車椅子に座っている患者の背丈より丈高なものとする支柱(１,1)を取付け、アーチ型を呈する屋根状基枠(12)として、左右の桟枠(12a)に対して固設する屋根枠(12b)を、左右方向のものが交互にスライド的に重ねあわされるように構成し、当該屋根状基枠(12)の後端部を、上記支柱(1,1)の上端に対して、水平状態から垂直状態への転化を可能とするような形態で枢支し、更に、患者の頭の上から腰の高さまでを被うためのシート状カバー体(３)を、前記屋根状基枠(12)の全周にわたって垂設するように構成した車椅子に対する院内感染防止用具。
【請求項３】
シート状カバー体(３)として不透明な材料を用いると共に、患者の眼のあたりに位置する部分には透明資材製窓部(3a)を設けるように構成した請求項１または請求項２の何れかに記載の車椅子に対する院内感染防止用具。
【請求項４】
シート状カバー体(３)として透明な材料を用いるように構成した請求項１または請求項２の何れかに記載の車椅子に対する院内感染防止用具。
【発明の詳細な説明】
【技術分野】
【０００１】
本発明は、病院内を移動する際、院内感染の心配が生じることなく移動できるようにする等のための車椅子に対する院内感染防止用カバーに関する。
【背景技術】
【０００２】
従来、例えば病室から、診察室への移動、会計のための窓口への移動、見舞客との歓談のための待合室への移動等、病院内を移動する機会は結構多いものである。  そして、これらの移動に際して他の患者や外来者との接触に基き、風邪等の病気をうつされてしまう、 所謂院内感染の恐れが生じた。
【０００３】
従来、このような感染を防止するための手段として、予防衣を着用することを通例とした（例えば第１特許文献参）。
然し乍、点滴を受けながらの移動時には、点滴用スタンド（例えば第２特許文献参照）と共に移動しなければならず、そしてこれと連なっている点滴の管の存在もあるため、上記したような予防衣の脱ぎ着は必然的に困難とされた。  
【０００４】
そして、このように腕部分を露出状態にあり、かつ、点滴用チューブが腕に刺し込まれている状態では、上記したような予防衣着用が出来ず、従って、その移動時に院内感染を生じてしまう確率が比較的高いものとされた。  更に、点滴を受けていると言うことは、体力的な低下が生じている場合が多く、従って、病原菌に対する耐性が弱く、院内感染の恐れがより一層強まることとなる。
【先行技術文献】
【特許文献】
【０００５】
【特許文献１】特開２０００−０７３２０９号公報
【特許文献２】特開２０１１−０１０６８２号公報
【発明の開示】
【発明が解決しようとする課題】
【０００６】
本発明は、点滴を受けながらの移動に際して、特に車椅子での移動に際して、院内感染に対する恐れを回避させ、以って前述したような従来の問題点の解消化を図るように構成した「車椅子に対する院内感染防止用カバー」と言う新規な製品の提供を図ったものである。
【課題を解決するための手段】
【０００７】
本発明は請求項１に記載のように、既存の車椅子Aの両側部に対して、その高さを車椅子に座っている患者の背丈より丈高なものとする支柱１,1を取付け、アーチ型を呈する屋根状基枠２の後端部を、上記支柱1,1の上端に対して、水平状態から垂直状態への転化を可能とするような形態で枢支し、更に、患者の頭の上から腰の高さまでを被うためのシート状カバー体３を、前記屋根状基枠２の全周にわたって垂設するように構成した車椅子に対する院内感染防止用具に係る。
【０００８】
本発明は請求項２に記載のように、既存の車椅子として、両側部を重ね合せるようにその中央部において折り畳みできるような形式のものを用い、当該車椅子の両側部に対して、その高さを車椅子に座っている患者の背丈より丈高なものとする支柱１,1を取付け、アーチ型を呈する屋根状基枠12として、左右の桟枠12aに対して固設する屋根枠12bを、左右方向のものが交互にスライド的に重ね合わされるように構成し、当該屋根状基枠12の後端部を、上記支柱1,1の上端に対して、水平状態から垂直状態への転化を可能とするような形態で枢支し、更に、患者の頭の上から腰の高さまでを被うためのシート状カバー体３を、前記屋根状基枠12の全周にわたって垂設するように構成した車椅子に対する院内感染防止用具。
【０００９】
本発明は請求項３に記載のように、シート状カバー体３として不透明な材料を用いると共に、患者の眼のあたりに位置する部分には透明資材製窓部3aを設けるように構成した請求項１または請求項２の何れかに記載の車椅子に対する院内感染防止用具を実施の態様とする。
【００１０】
本発明は請求項４に記載のように、シート状カバー体３として透明な材料を用いるように構成した請求項１または請求項２の何れかに記載の車椅子に対する院内感染防止用具を実施の態様とする。
【発明の効果】
【００１１】
本発明は請求項１に記載のような構成、すなわち、既存の車椅子Aの両側部に対して、その高さを車椅子に座っている患者の背丈より丈高なものとする支柱１,1を取付け、アーチ型を呈する屋根状基枠２の後端部を、上記支柱1,1の上端に対して、水平状態から垂直状態への転化を可能とするような形態で枢支し、更に、患者の頭の上から腰の高さまでを被うためのシート状カバー体３を、前記屋根状基枠２の全周にわたって垂設するように構成したから、例えば点滴を行いながらの移動に際して、車椅子を含めて患者の体全体がカバー体３に覆われているため、身体に対する黴菌が付着することがよく防止され、いわゆる院内感染というような事態発生を未然に回避させる。  更に、寒冷時、夜間時、或いは雨天時等に室外に出た際の覆い的目的を果たさせるような利用を図ることもできる。
【００１２】
そして、車椅子に対する患者の出入りは、アーチ型を呈する屋根状基枠２を図２に示すように上方に跳ね上げた状態で行うことにより、患者は頭をぶつけることなくその出入りがスムーズに行われる。
【００１３】
本発明は請求項２に記載のような構成、すなわち、既存の車椅子として、両側部を重ね合せるようにその中央部において折り畳みできるような形式のものを用い、当該車椅子の両側部に対して、その高さを車椅子に座っている患者の背丈より丈高なものとする支柱１,1を取付け、アーチ型を呈する屋根状基枠12として、左右の桟枠12aに対して固設する屋根枠12bを、左右方向のものが交互にスライド的に重ねあわされるように構成し、当該屋根状基枠12の後端部を、上記支柱1,1の上端に対して、水平状態から垂直状態への転化を可能とするような形態で枢支し、更に、患者の頭の上から腰の高さまでを被うためのシート状カバー体３を、前記屋根状基枠12の全周にわたって垂設するように構成したから、本発明の実施は折り畳み用車椅子に対して行うことが出来る。
【００１４】
すなわち、車椅子の折り畳みに際して、アーチ型を呈する屋根状基枠12は、その屋根枠12bを、左右方向のものが交互にスライド的に重ねあわされるように構成してあるため、車椅子の折り畳みと連動してその幅を縮める事が出来、当該車椅子の折り畳みを阻害しない。
【００１５】
本発明は請求項３に記載のような構成、すなわち、シート状カバー体３として不透明な材料を用いると共に、患者の眼のあたりに位置する部分には透明資材製窓部3aを設けるように構成したから、カバー体内の患者は、周りの人々の眼から遮られているため、一般人と紛れていても、点滴患者であることに基づく一種の気恥ずかしさを感じることなく移動することが出来る。  同時に、透明資材製窓部3aの存在に基づきその移動に際する視界確保が果たされる。
【００１６】
本発明は請求項４に記載のような構成、すなわち、シート状カバー体３として透明な材料を用いるように構成したから、視界の全面開放化が図られる。
【図面の簡単な説明】
【００１７】
【図１】本発明の第１実施例の使用状態を表した説明用側面図である。
【図２】同上不使用状態に転化した状態を表した説明用側面図である。
【図３】図１におけるX−X線部分を表した正面図である。
【図４】図３の平面図である。
【図５】図４部分他の実施例を表した平面図である。
【図６】同上作動の説明用平面図である。
【発明を実施するための最良の形態】
【００１８】
図１乃至図３は本発明の実施例を表したものである。  同図において、Aは既存の車椅子であって、本発明はこのような車椅子の立ち上がり管部、例えば手押し管の立ち上がり管部a等に対して垂直に取り付けるように構成したものである。
【００１９】
１は左右対称的に設けた支柱であって、その長さは車椅子に座っている患者の背丈より丈高なものとすると共に、当該両支柱１，１の対向間隔は、患者が入れる程度の間隔を保って左右に対向させてある。  そして、図示の実施例にあっては、上記のように手押し管の立ち上がり管部aに対して垂直に立設するように取付けてある。  １aは取付け用クランプを示す。  １bは当該支柱１，１の所要箇所に付設した引掛け鉤であって、点滴等の器具を吊り下げるためのものである。
【００２０】
２はドーム型を呈する屋根状基枠であって、左右の桟枠2aに対してアーチ状屋根枠2bを所要数等間隔に架設するように構成したものである。  そして、当該屋根状基枠２はその後端部、すなわち、左右の桟枠2aの後端を、支柱１の上端に起伏自在、すなわち、水平状態から垂直状態への転化を可能とするような形態で枢支してある。
【００２１】
３はシート状カバー体であって、上記した屋根状基枠２に対して被せることに依って、その全周わたってカーテン状に垂下させるように取付けてある。  なお、当該シート状カバー体３は、車椅子に座っている患者の頭の上から腰の高さまでを被う程度の丈幅を具えており、中に入っている患者の様子が外部から分からないようにするためのものである。
【００２２】
また、上記したシート状カバー体３は不透明な材料を用いると共に、防菌性、耐消毒処理に適した材料、例えば合成樹脂製シート材等を用いることが好ましいが、布材、化学繊維材等のような軽い材質のものであっても良い。
【００２３】
3aは上記患者の眼のあたりに位置するように設けた透明資材製窓部であって、歩行に際する透視用窓としての役割を果たすものである。  すなわち、シート状カバー体３内にいる患者は、シート状カバー体３が不透明素材の場合は周りの人々から見られることがないが、移動時の視野が妨げられることとなる。  そのために、当該透明資材製窓部３ａを透して当該患者の視界確保がなされるように構成してある。  なお、シート状カバー体３を透明資材で形成した場合は、このような窓部3aの形成は不要である。
【００２４】
本発明は図２に示すような状態おいて患者はその座席に座ると共に、アーチ型を呈する屋根状基枠２を水平状態に転移させれば、図１に示すように、患者はシート状カバー体３によって隠されることとなる。  この状態において患者はその周りをカバーされた状態となるため、例えば点滴用スタンドと共等の移動する際、近傍者が咳きをして風邪をうつしてしまうと言うような心配を生じることなく、病院内での移動が可能化される。  同時に、カバー体３の内部に居る患者は、周りの人々の眼から遮られているため、点滴患者である等の一種の気恥ずかしさを感じることなく移動することが出来る。
【００２５】
図５は本発明の実施対象とする車椅子が、両側部を重ね合せるようにその中央部において折り畳みできるような形式のものとした場合のアーチ状屋根枠12を表したものである。  この場合は、左右の桟枠12aに対して固設する屋根枠12bを、左右方向のものが交互にスライド的に重ねあわされるように構成し、これにより、車椅子を折り畳んだ際に、アーチ状屋根枠12もこれに連動して扁平化可能とするように構成したものである。  本発明はこのような形態で実施する場合もある。
【００２６】
すなわち、車椅子の折り畳み伴う扁平化に連動して、アーチ状屋根枠12も図6に示すようにスライド的幅狭化が図られ、車椅子の折り畳み作動を阻害しない様に構成してある。
【符号の説明】
【００２７】
A    車椅子
a     手押し管の立ち上がり管部
１    支柱
１a   取付け用クランプ
１b   引掛け鉤
２   
屋根状基枠
2a    左右の桟枠
2b    アーチ状屋根枠
３    シート状カバー体
3a    透明資材製窓部
12    アーチ状屋根枠
12a 
左右の桟枠
12b  屋根枠
【図１】
2014028009.tif 000003
【図２】
2014028009.tif 000004
【図５】
2014028009.tif 000005
【図６】
2014028009.tif 000006
【図３】
2014028009.tif 000007
【図４】
2014028009.tif 000008